(57)【特許請求の範囲】
【請求項１】
アンテナに接続されるアンテナ端子、第１端子及び第２端子を備えるダイプレクサの前記第１端子に共通端子が接続された第１デュプレクサと、
前記ダイプレクサの前記第２端子に共通端子が接続され、前記第１デュプレクサとは異なる通過帯域を有する第２デュプレクサと、
前記第１端子と前記第１デュプレクサの共通端子との間を接続する第１線路と、
前記第２端子と前記第２デュプレクサの共通端子との間を接続する第２線路と、
を具備し、
前記第１線路と前記第２線路との電気長は、前記ダイプレクサにおいてアンテナ端子が第１端子と第２端子とに分岐される分岐点から前記第２デュプレクサをみたインピーダンスのリアクタンス成分が略０かつ前記インピーダンスが基準インピーダンスより小さい周波数は、前記第１デュプレクサの通過帯域内に位置しないような長さであることを特徴とするモジュール。
【請求項２】
アンテナに接続されるアンテナ端子、第１端子及び第２端子を備えるダイプレクサの前記第１端子に共通端子が接続された第１デュプレクサと、
前記ダイプレクサの前記第２端子に共通端子が接続され、前記第１デュプレクサとは異なる通過帯域を有する第２デュプレクサと、
を具備し、
前記ダイプレクサにおいてアンテナ端子が第１端子と第２端子とに分岐される分岐点から前記第２デュプレクサをみたインピーダンスのリアクタンス成分が略０かつ前記インピーダンスが基準インピーダンスより小さい周波数は、前記第１デュプレクサの通過帯域内に位置せず、
前記第１デュプレクサの通過帯域の周波数は、前記第２デュプレクサの通過帯域の周波数より高く、
前記第１端子と前記第１デュプレクサの共通端子との間の線路は、前記第２端子と前記第２デュプレクサの共通端子との間の線路より短いことを特徴とするモジュール。
【請求項３】
前記インピーダンスのリアクタンス成分が略０かつ前記インピーダンスが前記基準インピーダンスの１／２より小さい周波数は、前記第１デュプレクサの通過帯域内に位置しないことを特徴とする請求項１または２記載のモジュール。
【請求項４】
前記分岐点から前記第２デュプレクサをみた反射係数が極小となる周波数は、前記第１デュプレクサの通過帯域内に位置しないことを特徴とする請求項１から３のいずれか一項記載のモジュール。
【請求項５】
アンテナに接続されるアンテナ端子、第１端子及び第２端子を備えるダイプレクサの前記第１端子に共通端子が接続された第１デュプレクサと、
前記ダイプレクサの前記第２端子に共通端子が接続され、前記第１デュプレクサとは異なる通過帯域を有する第２デュプレクサと、
前記第１端子と前記第１デュプレクサの共通端子との間を接続する第１線路と、
前記第２端子と前記第２デュプレクサの共通端子との間を接続する第２線路と、
を具備し、
前記第１線路と前記第２線路との電気長は、前記ダイプレクサにおいてアンテナ端子が第１端子と第２端子とに分岐される分岐点から前記第２デュプレクサをみた反射係数が極小となる周波数は、前記第１デュプレクサの通過帯域内に位置しないような長さであることを特徴とするモジュール。
【請求項６】
アンテナに接続されるアンテナ端子、第１端子及び第２端子を備えるダイプレクサの前記第１端子に共通端子が接続された第１デュプレクサと、
前記ダイプレクサの前記第２端子に共通端子が接続され、前記第１デュプレクサとは異なる通過帯域を有する第２デュプレクサと、
を具備し、
前記ダイプレクサにおいてアンテナ端子が第１端子と第２端子とに分岐される分岐点から前記第２デュプレクサをみた反射係数が極小となる周波数は、前記第１デュプレクサの通過帯域内に位置せず、
前記第１デュプレクサの通過帯域の周波数は、前記第２デュプレクサの通過帯域の周波数より高く、
前記第１端子と前記第１デュプレクサの共通端子との間の線路は、前記第２端子と前記第２デュプレクサの共通端子との間の線路より短いことを特徴とするモジュール。
【請求項７】
前記反射係数が前記分岐点と第１端子との間の通過帯域内において最も小さくなる周波数は、前記第１デュプレクサの通過帯域内に位置しないことを特徴とする請求項５または６記載のモジュール。
【請求項８】
前記第１デュプレクサを通過する信号と、前記第２デュプレクサを通過する信号とは、同時に前記ダイプレクサを通過することを特徴とする請求項１から７のいずれか一項記載のモジュール。
【請求項９】
複数の前記第１デュプレクサのうちのいずれか１つの共通端子を前記第１端子に接続する第１スイッチと、
複数の前記第２デュプレクサのうちいずれか１つの共通端子を前記第２端子に接続する第２スイッチと、
を具備することを特徴とする請求項１から８のいずれか一項記載のモジュール。
【請求項１０】
前記分岐点から前記第１デュプレクサをみた反射係数が極小となる周波数と、前記分岐点から前記第１デュプレクサをみた反射特性のリアクタンス成分が略０かつ反射特性が基準インピーダンスより小さい周波数と、の少なくとも一方は、前記第２デュプレクサの通過帯域内に位置しないことを特徴とする請求項１から９のいずれか一項記載のモジュール。
【発明の詳細な説明】
【技術分野】
【０００１】
本発明は、モジュールに関し、例えばダイプレクサおよびデュプレクサを備えるモジュールに関する。
【背景技術】
【０００２】
携帯電話などの通信機器は、インターネットへの接続など機能の拡大が進んでいる。通信データの増大に対応するため、例えばＬＴＥ（Long Term Evolution）−Ａｄｖａｎｃｅｄなどの技術の開発が進められている。ＬＴＥ−Ａｄｖａｎｃｅｄでは、高スループット化のためＣＡ（Carrier Aggregation）技術が用いられる。例えば、Ｉｎｔｅｒ  Ｂａｎｄ  Ｎｏｎ  Ｃｏｎｔｉｇｕｏｕｓ  ＣＡは、８００ＭＨｚ帯および２ＧＨｚ帯など複数のＬＴＥバンドを同時に使用することで、通信を広帯域化、高速化、およびデータ量の拡大を図る技術である。また２つの信号を同時に送信のみ、または同時に受信のみを行うこともある。
【０００３】
携帯電話などでは小型化のため、複数の通信系の周波数帯域の信号を共用のアンテナで送信および／または受信する。特許文献１には、アンテナに接続されたダイプレクサにより異なる周波数帯域の信号を１つのアンテナを用い送信および／または受信する技術が記載されている。
【先行技術文献】
【特許文献】
【０００４】
【特許文献１】特開２００４−４０３２２号公報
【発明の概要】
【発明が解決しようとする課題】
【０００５】
複数の周波数帯域の信号をダイプレクサを用い１つのアンテナから同時に送信および／または受信する場合、複数の送受信系が同時にダイプレクサに接続される。このとき、通信系の周波数帯域において、ダイプレクサにノッチが生じてしまうことがある。
【０００６】
本発明は上記課題に鑑みなされたものであり、通過帯域内のノッチの発生を抑制することを目的とする。
【課題を解決するための手段】
【０００７】
本発明は、アンテナに接続されるアンテナ端子、第１端子及び第２端子を備えるダイプレクサの前記第１端子に共通端子が接続された第１デュプレクサと、前記ダイプレクサの前記第２端子に共通端子が接続され、前記第１デュプレクサとは異なる通過帯域を有する第２デュプレクサと、前記第１端子と前記第１デュプレクサの共通端子との間を接続する第１線路と、前記第２端子と前記第２デュプレクサの共通端子との間を接続する第２線路と、を具備し、前記第１線路と前記第２線路との電気長は、前記ダイプレクサにおいてアンテナ端子が第１端子と第２端子とに分岐される分岐点から前記第２デュプレクサをみたインピーダンスのリアクタンス成分が略０かつ前記インピーダンスが基準インピーダンスより小さい周波数は、前記第１デュプレクサの通過帯域内に位置しないような長さであることを特徴とするモジュールである。
【０００８】
上記構成において、前記インピーダンスのリアクタンス成分が略０かつ前記インピーダンスが前記基準インピーダンスの１／２より小さい周波数は、前記第１デュプレクサの通過帯域内に位置しない構成とすることができる。
【０００９】
上記構成において、前記分岐点から前記第２デュプレクサをみた反射係数が極小となる周波数は、前記第１デュプレクサの通過帯域内に位置しない構成とすることができる。
【００１０】
本発明は、アンテナに接続されるアンテナ端子、第１端子及び第２端子を備えるダイプレクサの前記第１端子に共通端子が接続された第１デュプレクサと、前記ダイプレクサの前記第２端子に共通端子が接続され、前記第１デュプレクサとは異なる通過帯域を有する第２デュプレクサと、前記第１端子と前記第１デュプレクサの共通端子との間を接続する第１線路と、前記第２端子と前記第２デュプレクサの共通端子との間を接続する第２線路と、を具備し、前記第１線路と前記第２線路との電気長は、前記ダイプレクサにおいてアンテナ端子が第１端子と第２端子とに分岐される分岐点から前記第２デュプレクサをみた反射係数が極小となる周波数は、前記第１デュプレクサの通過帯域内に位置しないような長さであることを特徴とするモジュールである。
【００１１】
上記構成において、前記反射係数が前記分岐点と第１端子との間の通過帯域内において最も小さくなる周波数は、前記第１デュプレクサの通過帯域内に位置しない構成とすることができる。
【００１２】
上記構成において、前記第１デュプレクサを通過する信号と、前記第２デュプレクサを通過する信号とは、同時に前記ダイプレクサを通過する構成とすることができる。
【００１３】
上記構成において、複数の前記第１デュプレクサのうちのいずれか１つの共通端子を前記第１端子に接続する第１スイッチと、複数の前記第２デュプレクサのうちいずれか１つの共通端子を前記第２端子に接続する第２スイッチと、を具備する構成とすることができる。
【００１４】
本発明は、アンテナに接続されるアンテナ端子、第１端子及び第２端子を備えるダイプレクサの前記第１端子に共通端子が接続された第１デュプレクサと、前記ダイプレクサの前記第２端子に共通端子が接続され、前記第１デュプレクサとは異なる通過帯域を有する第２デュプレクサと、を具備し、前記ダイプレクサにおいてアンテナ端子が第１端子と第２端子とに分岐される分岐点から前記第２デュプレクサをみたインピーダンスのリアクタンス成分が略０かつ前記インピーダンスが基準インピーダンスより小さい周波数は、前記第１デュプレクサの通過帯域内に位置せず、前記第１デュプレクサの通過帯域の周波数は、前記第２デュプレクサの通過帯域の周波数より高く、前記第１端子と前記第１デュプレクサの共通端子との間の線路は、前記第２端子と前記第２デュプレクサの共通端子との間の線路より短いことを特徴とするモジュールである。
【００１５】
上記構成において、前記分岐点から前記第１デュプレクサをみた反射係数が極小となる周波数と、前記分岐点から前記第１デュプレクサをみた反射特性のリアクタンス成分が略０かつ反射特性が基準インピーダンスより小さい周波数と、の少なくとも一方は、前記第２デュプレクサの通過帯域内に位置しない構成とすることができる。
【発明の効果】
【００１６】
本発明によれば、通過帯域内のノッチの発生を抑制することができる。
【図面の簡単な説明】
【００１７】
【図１】図１は、実施例１に係るモジュールを含むシステムを示すブロック図である。
【図２】図２は、ダイプレクサに接続されるＨＢ系受信系の条件を変化させた場合のＬＢ側（ＬＰＦ）の通過特性をシミュレーションした回路の回路図である。
【図３】図３（ａ）および図３（ｂ）は、シミュレーションしたＬＢ側（ＬＰＦ）の通過特性Ｓ２１を示す図である。
【図４】図４（ａ）は、シミュレーションしたダイプレクサの回路図であり、図４（ｂ）は、ダイプレクサの通過特性Ｓ２１およびＳ３１を示す図である。
【図５】図５（ａ）は、ＬＢ側（ＬＰＦ）の通過帯域付近の通過特性Ｓ２１を示す図であり、図５（ｂ）は、ＨＢ側（ＨＰＦ）の通過帯域付近の通過特性Ｓ３１を示す図である。
【図６】図６（ａ）は、ＬＢ側（ＬＰＦ）の通過特性をシミュレーションしたダイプレクサの回路図であり、図６（ｂ）は、ＬＢ側（ＬＰＦ）の通過特性Ｓ１２を示す図である。
【図７】図７（ａ）は、ＨＢ側（ＨＰＦ）の反射特性をシミュレーションした回路図であり、図７（ｂ）は、反射特性Ｓ１１の反射減衰量を示す図であり、図７（ｃ）は、反射特性Ｓ１１のポーラチャートである。
【図８】図８（ａ）は、ＬＢ側（ＬＰＦ）の通過特性をシミュレーションしたダイプレクサの回路図であり、図８（ｂ）は、ＬＢ側（ＬＰＦ）の通過特性Ｓ１２を示す図であり、図８（ｃ）は、ＬＢ側（ＬＰＦ）の通過特性Ｓ１２の拡大図である。
【図９】図９（ａ）は、反射特性Ｓ１１の反射減衰量を示す図であり、図９（ｂ）は、反射特性Ｓ１１のスミスチャートである。
【図１０】図１０（ａ）は、ＨＢ側（ＨＰＦ）の通過特性をシミュレーションしたダイプレクサの回路図であり、図１０（ｂ）は、ＨＢ側（ＨＰＦ）の通過特性Ｓ１２を示す図であり、図１０（ｃ）は、反射特性Ｓ１１のスミスチャートである。
【図１１】図１１（ａ）は、測定したデュプレクサの回路図であり、図１１（ｂ）は、デュプレクサの通過特性Ｓ２１およびＳ３１を示す図である。
【図１２】図１２（ａ）から図１２（ｃ）は、反射特性Ｓ１１、Ｓ２２およびＳ３３を示すスミスチャートである。
【図１３】図１３は、ＨＢ側（ＨＰＦ）の通過特性をシミュレーションした回路の回路図である。
【図１４】図１４（ａ）は、シミュレーションしたＨＢ側（ＨＰＦ）の通過特性Ｓ２１を示す図であり、図１４（ｂ）は、通過特性Ｓ２１の拡大図である。
【図１５】図１５（ａ）は、反射特性Ｓ１１のスミスチャートであり、図１５（ｂ）は、反射特性Ｓ１１の反射減衰量を示す図である。
【図１６】図１６は、デュプレクサの反射特性Ｓ１１を示すスミスチャートである。
【図１７】図１７（ａ）は、通過特性Ｓ２１を示す図、図１７（ｂ）は、図１７（ａ）の拡大図である。
【図１８】図１８（ａ）は、通過特性Ｓ２１を示す図、図１８（ｂ）は、図１８（ａ）の拡大図である。
【図１９】図１９は、反射特性Ｓ１１を示す図である。
【図２０】図２０は、位相に対する損失を示す図である。
【図２１】図２１は、実施例１の変形例のモジュールを含むシステムのブロック図である。
【発明を実施するための形態】
【００１８】
図面を用いて実施例について説明する。
【実施例１】
【００１９】
図１は、実施例１に係るモジュールを含むシステムを示すブロック図である。システム１００は、モジュール４０、集積回路４２、アンテナ１４、およびパワーアンプ２５ａから２５ｃ、３５ａおよび３５ｂを備えている。モジュール４０には、ダイプレクサ１０、高周波スイッチ２４および３４、デュプレクサ２０ａから２０ｃ、３０ａおよび３０ｂが搭載されている。また、モジュール４０に線路Ｌ１０からＬ３０およびＬ１ａからＬ８ｂが形成されている。線路Ｌ１０からＬ３０およびＬ１ａからＬ８ｂは、各素子間を電気的に接続するために形成されている。線路Ｌ１０からＬ３０、Ｌ１ａからＬ３ｃおよびＬ６ａからＬ８ｂは、例えば誘電体基板と、誘電体基板内および誘電体基板上に形成された線路である。これらの線路の特性インピーダンスは基準インピーダンス（例えば５０Ω）である。集積回路４２は、ローノイズアンプ２６ａから２６ｃ、３６ａおよび３６ｂを備えている。
【００２０】
スイッチ２４、デュプレクサ２０ａから２０ｃ、パワーアンプ２５ａから２５ｃ、およびローノイズアンプ２６ａから２６ｃは、高周波数（ＨＢ：High Band）側のＨＢ送受信系２８である。スイッチ３４、デュプレクサ３０ａから３０ｂ、パワーアンプ３５ａから３５ｂ、およびローノイズアンプ３６ａから３６ｂは、低周波数（ＬＢ：Low Band）側のＬＢ送受信系３８である。
【００２１】
ＨＢ送受信系２８は、１または複数の通信系の周波数帯域の信号を送信および／または受信する。デュプレクサ２０ａから２０ｃは、各通信系に対応する。ＨＢ送受信系２８の通信系は、例えば、バンド１（送信帯域：１９２０ＭＨｚから１９８０ＭＨｚ、受信帯域：２１１０ＭＨｚから２１７０ＭＨｚ）、バンド２（送信帯域：１８５０ＭＨｚから１９１０ＭＨｚ、受信帯域：１９３０ＭＨｚから１９９０ＭＨｚ）、バンド４（送信帯域：１７１０ＭＨｚから１７５５ＭＨｚ、受信帯域：２１１０ＭＨｚから２１５５ＭＨｚ）およびバンド９（送信帯域：１７５０ＭＨｚから１７８５ＭＨｚ、受信帯域：１８４５ＭＨｚから１８８０ＭＨｚ）の少なくとも１つの通信系である。ＬＢ送受信系３８の通信系は、例えば、バンド５（送信帯域：８２４ＭＨｚから８４９ＭＨｚ、受信帯域：８６９ＭＨｚから８９４ＭＨｚ）、バンド６（送信帯域：８３０ＭＨｚから８４０ＭＨｚ、受信帯域：８７５ＭＨｚから８８５ＭＨｚ）およびバンド８（送信帯域：８８０ＭＨｚから９１５ＭＨｚ、受信帯域：９２５ＭＨｚから９６０ＭＨｚ）の少なくとも１つの通信系である。
【００２２】
デュプレクサ２０ａから２０ｃは、それぞれ送信フィルタ２１ａから２１ｃおよび受信フィルタ２２ａから２２ｃを備えている。送信フィルタ２１ａから２１ｃは、それぞれ共通端子Ｔ１ａからＴ１ｃと送信端子Ｔ２ａからＴ２ｃとの間に接続されている。受信フィルタ２２ａから２２ｃは、それぞれ共通端子Ｔ１ａからＴ１ｃと受信端子Ｔ３ａからＴ３ｃとの間に接続されている。
【００２３】
パワーアンプ２５ａから２５ｃは、集積回路４２から出力される送信信号を増幅する。送信フィルタ２１ａから２１ｃは、それぞれ、パワーアンプ２５ａから２５ｃにより増幅された送信信号のうち送信帯域の信号を共通端子Ｔ１ａからＴ１ｃに通過させ、送信帯域以外の信号を抑圧する。受信フィルタ２２ａから２２ｃは、それぞれ、共通端子Ｔ１ａからＴ１ｃに出力された受信信号のうち受信帯域の信号を受信端子Ｔ３ａからＴ３ｃに通過させ、受信帯域以外の信号を抑圧する。ローノイズアンプ２６ａから２６ｃは、それぞれ受信フィルタ２２ａから２２ｃから出力された信号を増幅する。スイッチ２４は、端子Ｔ４を端子Ｔ５ａからＴ５ｃのいずれか１つに接続する。デュプレクサ２０ａから２０ｃが１つの場合、スイッチ２４を設けず、端子Ｔ２０をデュプレクサ２０ａから２０ｃの共通端子に接続してもよい。
【００２４】
ＬＢ送受信系３８は、１または複数の通信系の周波数帯域の信号を送信および／または受信する。デュプレクサ３０ａから３０ｂは、各通信系に対応する。
【００２５】
デュプレクサ３０ａから３０ｂは、それぞれ送信フィルタ３１ａから３１ｂおよび受信フィルタ３２ａから３２ｂを備えている。ＬＢ送受信系３８における他の構成はＨＢ送受信系２８と同じであり説明を省略する。
【００２６】
デュプレクサ２０ａから２０ｃ、３０ａおよび３０ｂが、それぞれ送信フィルタと受信フィルタを備える例を説明するが、デュプレクサは、送信フィルタと送信フィルタ、または受信フィルタと受信フィルタを備えてもよい。
【００２７】
ダイプレクサ１０はハイパスフィルタ（ＨＰＦ：High Pass Filter）１１およびローパスフィルタ（ＬＰＦ：Low Pass Filter）１２を備えている。ＨＰＦ１１は、アンテナ端子Ｔ１０と端子Ｔ２０との間に接続されている。ＬＰＦ１２は、アンテナ端子Ｔ１０と端子Ｔ３０との間に接続されている。
【００２８】
ＨＰＦ１１は、ＨＢ送受信系２８が送信および／または受信する通信系の周波数帯域のＨＢ信号を通過させ、ＬＢ送受信系３８が送信および／または受信する通信系の周波数帯域のＬＢ信号を抑圧する。ＬＰＦ１２は、ＬＢ信号を通過させ、ＨＢ信号を抑圧する。携帯電話に用いられる周波数帯域においては、１ＧＨｚ以下の周波数帯域をＬＢ帯域とし、１．７ＧＨｚから２．７ＧＨｚの周波数帯域をＨＢ帯域とする。
【００２９】
スイッチ２４が端子Ｔ５ａからＴ５ｃのうち１つの端子を選択することにより、ＨＢ送受信系２８が同時に送信または受信できる信号は１つの周波数帯域である。スイッチ３４が端子Ｔ１０ａから１０ｂのうち１つの端子を選択することにより、ＬＢ送受信系３８が同時に送信および／または受信できる信号は１つの周波数帯域である。ダイプレクサ１０は、ＨＢ送受信系２８が送信および／または受信するＨＢ信号と、ＬＢ送受信系３８が送信および／または受信するＬＢ信号を同時に通過させることができる。
【００３０】
これにより、１つのアンテナ１４を用い、スイッチ２４が選択したデュプレクサ２０ａから２０ｃの通過帯域のＨＢ信号と、スイッチ３４が選択したデュプレクサ３０ａから３０ｂの通過帯域のＬＢ信号と、を同時に送信および／または受信できる。このように、ＨＢ信号とＬＢ信号を同時に送信および／または受信するモードをＣＡオンモードという。ＣＡオンモードでは、デュプレクサ２０ａから２０ｃを通過する信号と、デュプレクサ３０ａおよび３０ｂを通過する信号とは、同時にダイプレクサ１０を通過する。
【００３１】
一方、ＨＢ信号とＬＢ信号のいずれか一方のみを送信および／または受信するモードをＣＡオフモードという。ＣＡオフモードでは、スイッチ２４および３４のうちいずれか一方がオフである。さらに、ＨＢ信号とＬＢ信号のいずれも送信および／または受信しないモードをオフモードという。
【００３２】
ＨＢ送受信系２８およびＬＢ送受信系３８がＣＡオフモードにおいて、インピーダンス整合するように設計されているとき、ＣＡオンモードでは、ダイプレクサ１０を介し、相手方（ＨＢ送受信系２８からみたＬＢ送受信系３８、および、ＬＢ送受信系３８からみたＨＢ送受信系２８）が見えてしまう。例えば、ＬＰＦ１２の通過特性にＨＢ送受信系２８が影響を及ぼす。また、ＨＰＦ１１の通過特性にＬＢ送受信系３８が影響を及ぼす。これにより、ダイプレクサ１０の通過帯域にノッチが形成されることがある。
【００３３】
まず、ＨＢ送受信系２８がＬＰＦ１２の通過特性に影響することを説明する。図２は、ダイプレクサに接続されるＨＢ系受信系の条件を変化させた場合のＬＢ側（ＬＰＦ）の通過特性をシミュレーションした回路の回路図である。図２に示すように、ＨＢ送受信系２８には、スイッチ２４と１つのデュプレクサ２０が設けられている。デュプレクサ２０は、送信フィルタ２１および受信フィルタ２２を有する。デュプレクサ２０は、バンド４のデュプレクサである。デュプレクサ２０の共通端子とスイッチ２４との間に線路Ｌ１が接続されている。ＬＢ送受信系３８には、スイッチ３４が設けられ、デュプレクサ３０は設けられていない。アンテナ端子Ｔ１０をポート１とし、端子Ｔ６をポート２とした。アンテナ端子Ｔ１０および端子Ｔ６は、それぞれ基準インピーダンス（５０Ω）で終端されている。
【００３４】
図２の回路を用い、アンテナ端子Ｔ１０から端子Ｔ６へのＬＰＦ１２の通過特性Ｓ２１をシミュレーションした。シミュレーションにおいて、スイッチ２４および３４は閉じた状態とした。線路Ｌ１の電気長を、バンド４の信号の位相として０°、１２０°、２４０および３６０°に対応するように変化させた。
【００３５】
図３（ａ）および図３（ｂ）は、シミュレーションしたＬＢ側（ＬＰＦ）の通過特性Ｓ２１を示す図である。図３（ａ）は、ＬＰＦ１２の通過帯域付近の拡大図であり、図３（ｂ）は、ＬＰＦ１２の抑圧帯域（ＨＰＦ１１の通過帯域付近）の図である。マーカｍ１からｍ２は、一般的なＬＢ帯域である。図３（ａ）に示すように、線路Ｌ１の電気長が変化すると、ノッチの位置が変化する。線路Ｌ１の電気長によってはＬＰＦ１２のＬＢ帯域にノッチが形成される。図３（ｂ）に示すように、線路Ｌ１の電気長によってはＬＰＦ１２の抑圧帯域にもノッチが形成される。
【００３６】
このように、ＣＡオンモードにおいては、ＨＢ送受信系２８がＬＰＦ１２の通過特性に影響する。特に、通過帯域にノッチが形成されると、ダイプレクサ１０の挿入損失が大きくなる。そこで、通過帯域にノッチが形成される原因を調査した。
【００３７】
ＨＢ送受信系２８およびＬＢ送受信系３８が接続されていないダイプレクサ１の通過特性について説明する。図４（ａ）は、シミュレーションしたダイプレクサの回路図であり、図４（ｂ）は、ダイプレクサの通過特性Ｓ２１およびＳ３１を示す図である。図５（ａ）は、ＬＢ側（ＬＰＦ）の通過帯域付近の通過特性Ｓ２１を示す図であり、図５（ｂ）は、ＨＢ側（ＨＰＦ）の通過帯域付近の通過特性Ｓ３１を示す図である。
【００３８】
図４（ａ）に示すように、アンテナ端子Ｔ１０と端子Ｔ２０との間にＨＰＦ１１が接続され、アンテナ端子Ｔ１０と端子Ｔ３０との間にＬＰＦ１２が接続されている。アンテナ端子Ｔ１０、端子Ｔ３０およびＴ２０をそれぞれポート１から３とした。アンテナ端子Ｔ１０、端子Ｔ２０およびＴ３０は、それぞれ基準インピーダンス（５０Ω）で終端されている。分岐点Ｎ１において、アンテナ端子Ｔ１０は、端子Ｔ２０に接続されたＨＰＦ１１と端子Ｔ３０に接続されたＬＰＦ１２に分岐される。このように、アンテナ端子Ｔ１０から端子Ｔ２０と端子Ｔ３０に分岐するノードを分岐点Ｎ１とする。
【００３９】
ＬＢ側（ＬＰＦ）の通過特性および反射特性は、分岐点Ｎ１からＬＰＦ１２をみた側の通過特性および反射特性であり、主にＬＰＦ１２の特性である。このため、単にＬＰＦ１２の通過特性または反射特性と記載することもある。ＨＢ側（ＨＰＦ）の通過特性および反射特性は、分岐点Ｎ１からＨＰＦ１１をみた側の通過特性および反射特性であり、主にＨＰＦ１１の特性である。このため、単にＨＰＦ１１の通過特性または反射特性と記載することもある。シミュレーションでは、アンテナ端子Ｔ１０と分岐点Ｎ１との間の線路をほぼ無視しているため、アンテナ端子Ｔ１０からＬＢ側またはＨＢ側をみた特性と分岐点Ｎ１からＬＢ側またはＨＢ側をみた特性はほぼ同じである。
【００４０】
図４（ｂ）から図５（ｂ）は、ＨＰＦ１１の通過特性Ｓ３１とＬＰＦ１２の通過特性Ｓ２１を示している。携帯電話における一般的なＬＢ帯域およびＨＢ帯域は、それぞれ６９９ＭＨｚから９６０ＭＨｚ、および１７１０ＭＨｚから２６９０ＭＨｚである。図４（ｂ）においてマーカｍ１からｍ２がＬＢ帯域を示し、マーカｍ３からｍ４がＨＢ帯域を示している。図４（ｂ）に示すように、ＨＰＦ１１のＬＢ帯域における減衰量は２５ｄＢ以上である。ＬＰＦ１２のＨＢ帯域における減衰量は２５ｄＢ以上である。図５（ａ）に示すように、ＬＰＦ１２のＬＢ帯域における挿入損失は１ｄＢ以下である。図５（ｂ）に示すように、ＨＰＦ１１のＨＢ帯域における挿入損失は１ｄＢ以下である。また、ＬＰＦ１２およびＨＰＦ１１とも通過帯域付近にノッチは観測されない。
【００４１】
このように、ダイプレクサ１０単体のＬＰＦ特性およびＨＰＦ特性は良好である。
【００４２】
このダイプレクサ１０の端子Ｔ２０を接地して、ＬＰＦ１１の通過帯域をシミュレーションした。ＨＢ送受信系２８においてある周波数でショートとなることを想定したものである。
【００４３】
図６（ａ）は、ＬＢ側（ＬＰＦ）の通過特性をシミュレーションしたダイプレクサの回路図であり、図６（ｂ）は、ＬＢ側（ＬＰＦ）の通過特性Ｓ１２を示す図である。図６（ａ）に示すように、端子Ｔ２０は、グランドにショートしている。その他の構成は、図４（ａ）と同じであり説明を省略する。図６（ｂ）に示すように、ＬＰＦ１２の通過特性Ｓ１２において。マーカｍ５で示した１．４２ＧＨｚにノッチが観察される。
【００４４】
図７（ａ）は、ＨＢ側（ＨＰＦ）の反射特性をシミュレーションした回路図である。図７（ａ）に示すように、分岐点Ｎ１と端子Ｔ２０との間にＨＰＦ１１が接続されている。端子Ｔ２０はグランドにショートしている。ノッチの原因を調べるため、図７（ａ）に示すように、分岐点Ｎ１からＨＰＦ１１をみた反射特性Ｓ１１をシミュレーションした。図７（ｂ）は、反射特性Ｓ１１の反射減衰量を示す図であり、図７（ｃ）は、反射特性Ｓ１１のポーラチャートである。周波数の掃引は５００ＭＨｚから３．５ＧＨｚである。
【００４５】
図７（ｂ）に示すように、１．４２ＧＨｚ（ｍ５）において、分岐点Ｎ１からＨＰＦ１１をみた５０Ωにおける反射特性Ｓ１１の大きさが急激に小さくなっている。１．４２ＧＨｚにおける反射特性Ｓ１１は−６．２ｄＢである。図７（ｃ）に示すように、１．４２ＧＨｚ（ｍ５）において反射特性Ｓ１１が基準インピーダンスに近づいている。１．４２ＧＨｚにおける反射特性Ｓ１１の大きさ（ＭＡＧ）は０．４８８であり、位相角度（ＡＮＧ）は１４５°である。図７（ｃ）のように、１．４２ＧＨｚにおいて、反射特性Ｓ１１が基準インピーダンスに近づく（すなわち反射係数の大きさが０に近づく）。
【００４６】
次に、ダイプレクサ１０の端子Ｔ２０を線路を介し接地して、ＬＢ側（ＬＰＦ１２）の通過帯域をシミュレーションした。線路は、モジュール内の線路を想定している。
【００４７】
図８（ａ）は、ＬＢ側（ＬＰＦ）の通過特性をシミュレーションしたダイプレクサの回路図であり、図８（ｂ）は、ＬＢ側（ＬＰＦ）の通過特性Ｓ１２を示す図であり、図８（ｃ）は、ＬＢ側（ＬＰＦ）の通過特性Ｓ１２の拡大図である。
【００４８】
図８（ａ）に示すように、端子Ｔ２０が線路Ｌ５０を介しグランドにショートしている。線路Ｌ５０の特性インピーダンスは基準インピーダンス（５０Ω）とし、線路Ｌ５０の長さは１ＧＨｚでの位相５０°に相当する長さとした。その他の構成は、図６（ａ）と同じであり説明を省略する。
【００４９】
図８（ｂ）および図８（ｃ）において、破線は、ダイプレクサ１０単体（図４（ａ））の通過特性を示し、実線は図８（ａ）における通過特性を示す。図８（ｂ）に示すように、ＬＢ側（ＬＰＦ１２）の通過特性Ｓ１２において、ダイプレクサ１０単体ではノッチは観測されないが、図８（ｂ）ではマーカｍ６で示した１．９７５ＧＨｚにノッチが観察される。図８（ｃ）に示すように、マーカｍ７で示した９３５ＭＨｚにノッチが観察される。
【００５０】
ノッチの原因を調べるため、分岐点Ｎ１からＨＢ側（ＨＰＦ１１）の反射特性Ｓ１１をシミュレーションした。図９（ａ）は、反射特性Ｓ１１の反射減衰量を示す図であり、図９（ｂ）は、反射特性Ｓ１１のスミスチャートである。
【００５１】
図９（ａ）に示すように、９３５ＭＨｚ（ｍ７）において、分岐点Ｎ１からＨＢ側（ＨＰＦ１１）をみた反射減衰量が急激に小さくなっている。１．９７５ＧＨｚ付近には反射減衰量の減少が観察されない。図９（ｂ）に示すように、９３５ＭＨｚ（ｍ７）近傍において、反射特性Ｓ１１はループしており、９３５ＭＨｚ（ｍ７）において反射特性Ｓ１１が局所的に基準インピーダンスに近づいている。９３５ＭＨｚにおける反射特性Ｓ１１のＭＡＧは０．８６１であり、ＡＮＧは−４７°である。
【００５２】
１．９７５ＧＨｚ（ｍ６）において、反射特性Ｓ１１のＭＡＧは０．９０２であり、ＡＮＧは−１８０°である。これにより、１．９７５ＧＨｚにおいて、分岐点Ｎ１からＨＦＰ１１をみたインピーダンスのリアクタンス成分はほぼ０であり、インピーダンスの大きさは基準インピーダンスより小さい。よって、分岐点Ｎ１からＨＰＦ１１をみると、グランドにほぼショートしている状態にみえる。
【００５３】
ダイプレクサ１０の端子Ｔ３０を接地して、ＨＰＦ１１の通過帯域をシミュレーションした。図１０（ａ）は、ＨＰ側（ＨＰＦ）の通過特性をシミュレーションしたダイプレクサの回路図であり、図１０（ｂ）は、ＨＰ側（ＨＰＦ）の通過特性Ｓ１２を示す図であり、図１０（ｃ）は、反射特性Ｓ１１のスミスチャートである。図１０（ａ）に示すように、端子Ｔ２０をポート２とし基準インピーダンス（５０Ω）に終端している。端子Ｔ３０がグランドにショートしている。その他の構成は、図４（ａ）と同じであり説明を省略する。
【００５４】
図１０（ｂ）において、破線は、ダイプレクサ１０単体（図４（ａ））の通過特性を示し、実線は図１０（ａ）における通過特性を示す。図１０（ｂ）に示すように、ＨＰＦ１１の通過特性Ｓ１２において、マーカｍ８で示した１．３０５ＧＨｚにノッチが観察される。図１０（ｃ）に示すように、１．３０５ＧＨｚ（ｍ８）において、反射特性Ｓ１１のＭＡＧは０．６４６であり、ＡＮＧは−１８０°である。これにより、１．３０５ＧＨｚにおいて、分岐点Ｎ１からＬＰＦ１２をみたインピーダンスのリアクタンス成分はほぼ０であり、インピーダンスの大きさは基準インピーダンスより小さい。よって、分岐点Ｎ１からＬＰＦ１２をみると、グランドにほぼショートしている状態にみえる。
【００５５】
以上に記述したように、ダイプレクサ１０の各自フィルタ（ＨＰＦ１１またはＬＰＦ１２）の通過特性Ｓ１２にノッチが形成される条件には以下の２つあることがわかる。
（１）分岐点Ｎ１から相手方のフィルタ（ＬＰＦ１２またはＨＰＦ１１）をみた反射特性が局所的に基準インピーダンスに近づくときである（例えばｍ５およびｍ７）。
このように、分岐点Ｎ１から相手方フィルタをみた反射係数が小さくなると、自フィルタを通過する信号が相手方フィルタに漏洩する。このため、（１）の条件の周波数において、自フィルタの通過特性にノッチが形成される。
【００５６】
（２）分岐点Ｎ１から相手方のフィルタをみたインピーダンスがショートに近づくときである（例えばｍ６およびｍ８）。言い換えれば、分岐点Ｎ１から相手フィルタをみたインピーダンスのリアクタンス成分が０であり、このインピーダンスが基準インピーダンスより小さい場合である。なお、このインピーダンスは基準インピーダンスの１／２以下が好ましく、１／３以下がより好ましい。
【００５７】
次にデュプレクサの通過特性について説明する。図１１（ａ）は、測定したデュプレクサの回路図であり、図１１（ｂ）は、デュプレクサの通過特性Ｓ１２およびＳ１３を示す図である。図１２（ａ）から図１２（ｃ）は、反射特性Ｓ１１、Ｓ２２およびＳ３３を示すスミスチャートである。
【００５８】
図１１（ａ）に示すように、共通端子Ｔ６と端子Ｔ７との間に送信フィルタ３１が接続され、共通端子Ｔ６と端子Ｔ８との間に受信フィルタ３２が接続されている。受信フィルタ３２は、平衡出力型であり、端子Ｔ８は平衡端子である。端子Ｔ８は不平衡端子でもよい。共通端子Ｔ６からＴ８をそれぞれポート１から３とした。共通端子Ｔ６および端子Ｔ７は、それぞれ基準インピーダンス（５０Ω）で終端されている。平衡端子Ｔ８は、それぞれ１００Ωで終端されている。
【００５９】
図１１（ｂ）の実線は、送信フィルタ２１の通過特性Ｓ１２、破線は受信フィルタ２２の通過特性Ｓ１３を示す。点線楕円は送信帯域８１および受信帯域８２を示す。送信フィルタ３１は、送信帯域８１が通過帯域であり、受信帯域８２が抑圧帯域である。受信フィルタ３２は、受信帯域８２が通過帯域であり、送信帯域８１が抑圧帯域である。送信フィルタ２１の通過帯域および受信フィルタ３２の通過帯域がデュプレクサ３０の通信帯域である。
【００６０】
図１２（ａ）に示すように、共通端子Ｔ６（ポート１）から送信フィルタ３１および受信フィルタ３２をみた反射特性Ｓ１１は、送信帯域および受信帯域で５０Ωに近い領域８３となる。反射特性Ｓ１１は、他の周波数帯域で抑圧領域８４となる。図１２（ｂ）に示すように、端子Ｔ７（ポート２）から送信フィルタ３１をみた反射特性Ｓ２２は、送信帯域で５０Ωに近くなり、他の周波数領域で抑圧領域となる。図１２（ｃ）に示すように、端子Ｔ７（ポート８）から受信フィルタ３２をみた反射特性Ｓ３３は、送信帯域で５０Ωに近くなり、他の周波数領域で抑圧領域となる。
【００６１】
図４（ａ）に示したダイプレクサ１０と図１１（ａ）に示したデュプレクサ３０とを組み合わせた回路のシミュレーションを行った。図１３は、ＨＢ側（ＨＰＦ）の通過特性をシミュレーションした回路の回路図である。図１３に示すように、ダイプレクサ１０の端子Ｔ２０はスイッチ２４を介し端子Ｔ１に接続されている。ダイプレクサ１０の端子Ｔ２０とスイッチ２４の端子Ｔ４との間には線路Ｌ２０が接続されている。スイッチ２４の端子Ｔ５と端子Ｔ１との間に線路Ｌ２が接続されている。ダイプレクサ１０の端子Ｔ３０はスイッチ３４を介しデュプレクサ３０の共通端子Ｔ６に接続されている。デュプレクサ３０には端子Ｔ７およびＴ８に接続されている。ダイプレクサ１０は、端子Ｔ６とＴ７との間に送信フィルタ３１が接続され、端子Ｔ６とＴ８との間に受信フィルタ３２が接続されている。端子Ｔ８は平衡端子である。端子Ｔ３０とスイッチ３４の端子Ｔ９との間には線路Ｌ３０が接続されている。スイッチ３４の端子ＴＡと端子Ｔ６との間に線路Ｌ６が接続されている。
【００６２】
アンテナ端子Ｔ１０および端子Ｔ１をそれぞれポート１および２とした。アンテナ端子Ｔ１０および端子Ｔ１は、それぞれ基準インピーダンス（５０Ω）で終端されている。ＬＢ側のデュプレクサ３０はバンド５用を使用した例である。端子Ｔ１は、ＨＢ側に接続されるデュプレクサの通過帯域を想定し５０Ω終端とした。線路Ｌ２０およびＬ２の電気長は、２ＧＨｚでそれぞれ５．０ｍｍおよび８．２ｍｍとした。線路Ｌ３０およびＬ６の電気長は、１ＧＨｚでそれぞれ５．８ｍｍおよび８．３３ｍｍとした。線路Ｌ６の電気長は、１０°の位相に相当する。
【００６３】
図１４（ａ）は、シミュレーションしたＨＢ側（ＨＰＦ）の通過特性Ｓ２１を示す図であり、図１４（ｂ）は、通過特性Ｓ２１の拡大図である。図１４（ａ）において、実線は図１３に示す回路における端子Ｔ１０からＴ１への通過特性Ｓ２１を示す。破線は、図１３において、ＬＰＦ１２の端子Ｔ３０が５０Ω終端された場合のＨＰＦ１１の通過特性を示す。図１４（ａ）に示すように、端子Ｔ３０を５０Ω終端すると通過特性Ｓ２１にはノッチは観測されない。端子Ｔ３０にデュプレクサ３０を接続すると、マーカｍ１０で示した５７５ＭＨｚ、マーカｍ１１で示した１．０２５ＧＨｚ、マーカｍ１２で示した１．３７５ＧＨｚにノッチが観察される。図１４（ｂ）に示すように、マーカｍ１３で示した２．０００ＧＨｚにノッチが観察される。
【００６４】
図１５（ａ）は、反射特性Ｓ１１のスミスチャートであり、図１５（ｂ）は、反射特性Ｓ１１の反射減衰量で示す図である。反射特性Ｓ１１は、アンテナ端子Ｔ１０からデュプレクサ３０をみた反射特性である。図１５（ａ）に示すように、５７５ＭＨｚ（ｍ１０）において、反射特性Ｓ１１のＭＡＧは０．７５７であり、ＡＮＧは−１７８°である。１．０２５ＧＨｚ（ｍ１１）において、反射特性Ｓ１１のＭＡＧは０．６５９であり、ＡＮＧは−１７６°である。ｍ１０およびｍ１１は、前述の条件（２）に相当する。
【００６５】
１．３３５ＧＨｚ（ｍ１２）において、反射特性Ｓ１１のＭＡＧは０．１１０であり、ＡＮＧは−３６°である。このように、反射特性Ｓ１１が基準インピーダンスに近づいている。ｍ１２は、前述の条件（１）に相当する。２．０００ＧＨｚ（ｍ１３）において、反射特性Ｓ１１のＭＡＧは０．９３９であり、ＡＮＧは４６°である。反射特性Ｓ１１は、ｍ１３付近で少し窪んでおり、局所的に基準インピーダンスに近づいている。
【００６６】
図１５（ｂ）に示すように、２．０００ＧＨｚ（ｍ１３）において、反射特性Ｓ１１が局所的に小さくなっている。このように、ｍ１３は前述の条件（１）に相当する。
【００６７】
このように、ダイプレクサ１０にデュプレクサ３０が接続されている場合においても、条件（１）および（２）が通過特性にノッチが形成される条件となる。
【００６８】
図１６は、デュプレクサの反射特性Ｓ１１を示すスミスチャートである。実線は、図１３の端子Ｔ３０からデュプレクサ３０をみた反射特性Ｓ１１を示す。破線は、図１１（ａ）単体のデュプレクサ３０の反射特性Ｓ１１を示し、図１２（ａ）と同じ特性を示す。図１３の回路では、端子Ｔ３０とデュプレクサ３０との間に線路Ｌ３０、スイッチ３４および線路Ｌ６が接続される。これにより、実線は、破線に比べ、線路Ｌ３０、スイッチ３４および線路Ｌ６の合計の電気長に相当する位相が矢印のように回転する。
【００６９】
図１３の線路Ｌ６の電気長を１ＧＨｚの位相の０°、１２０°、２４０°および３６０°に対応するように変化させ、通過特性Ｓ２１をシミュレーションした。図１７（ａ）は、通過特性Ｓ２１を示す図、図１７（ｂ）は、図１７（ａ）の拡大図である。マーカｍ１４からｍ１５は、ＨＢ帯域である。図１７（ａ）および図１７（ｂ）に示すように、線路Ｌ６の電気長を変化させると、ノッチの位置が変化する。線路Ｌ６の電気長によってはＨＢ帯域にノッチが形成される。
【００７０】
そこで、ＨＢ帯域にノッチが形成されないように、図１３の線路Ｌ６の電気長を１ＧＨｚで８．３３ｍｍとした。図１８（ａ）は、通過特性Ｓ２１を示す図、図１８（ｂ）は、図１８（ａ）の拡大図である。ＨＢ帯域であるｍ１４とｍ１５との間にノッチは形成されていない。
【００７１】
図１９は、反射特性Ｓ１１を示す図である。図１９に示すように、端子Ｔ１０からデュプレクサ３０をみた反射特性Ｓ１１には、ＨＢ帯域内で極端な変化が観察されない。このように、端子Ｔ１０からＬＢ側のデュプレクサ３０をみた反射係数および反射特性Ｓ１１が条件（１）および（２）を満たすように、線路Ｌ６の電気長を調整する。これにより、ＨＰＦ１１の通過特性Ｓ２１においてＨＢ帯域内にノッチが形成されることを抑制できる。電気長の調整は線路Ｌ６およびＬ３０の少なくとも一方で行うことができる。
【００７２】
図１３の線路Ｌ６の電気長を１ＧＨｚで位相が０°から３０°となるように変化させ、周波数が１．７１ＧＨｚ、２．００ＧＨｚおよび２．６９ＧＨｚにおける通過特性を算出した。図２０は、位相に対する損失を示す図である。位相が０°から２５°において、ＨＢ帯域全体の損失が小さい。このように、線路Ｌ６の電気長を適切に設定することにより、ＨＢ帯域の損失を抑制できる。
【００７３】
実施例１によれば、図１のように、ダイプレクサ１０は、アンテナ端子Ｔ１０、端子Ｔ２０（第１端子）および端子Ｔ３０（第２端子）を備える。デュプレクサ２０ａから２０ｃは、端子Ｔ２０に共通端子Ｔ１ａからＴ１ｃが接続されている。デュプレクサ３０ａおよび３０ｂは、デュプレクサ２０ａから２０ｃとは異なる周波数帯域を有し、端子Ｔ３０に共通端子Ｔ６ａおよびＴ６ｂが接続されている。
【００７４】
このような構成において、ダイプレクサ１０においてアンテナ端子Ｔ１０が端子Ｔ２０と端子Ｔ３０とに分岐される分岐点からデュプレクサ３０ａおよび３０ｂをみた反射係数が極小となる周波数Ｆ１が、デュプレクサ２０ａから２０ｃの通過帯域に位置しないように、線路Ｌ３０、Ｌ６ａおよびＬ６ｂの電気長を設定する。これにより、デュプレクサ２０ａから２０ｃの通過帯域に、条件（１）に起因するノッチが形成されることを抑制できる。
【００７５】
ダイプレクサ１０においてアンテナ端子Ｔ１０が端子Ｔ２０と端子Ｔ３０とに分岐される分岐点からデュプレクサ３０ａおよび３０ｂをみたインピーダンスのリアクタンス成分が略０かつインピーダンスが基準インピーダンスより小さい周波数Ｆ２が、デュプレクサ２０ａから２０ｃの通過帯域に位置しないように、線路Ｌ３０、Ｌ６ａおよびＬ６ｂの電気長を設定する。これにより、デュプレクサ２０ａから２０ｃの通過帯域に、条件（２）に起因するノッチが形成されることを抑制できる。
【００７６】
上記周波数Ｆ１およびＦ２の少なくとも一方がデュプレクサ２０ａから２０ｃの通過帯域に位置しなければよい。
【００７７】
端子Ｔ２０に接続されるデュプレクサ２０ａから２０ｃは１つでもよいし、複数でもよい。デュプレクサ２０ａから２０ｃが複数の場合、複数のデュプレクサ２０ａから２０ｃのうちのいずれか１つの共通端子Ｔ１ａからＴ１ｃを端子Ｔ２０に接続するスイッチ２４が設けられることが好ましい。
【００７８】
上記周波数Ｆ１およびＦ２の少なくとも一方は、複数のデュプレクサ２０ａから２０ｃのうち少なくとも１つの通過帯域に位置しなければよい。上記周波数Ｆ１およびＦ２の少なくとも一方は、複数のデュプレクサ２０ａから２０ｃの全ての通過帯域に位置しないことが好ましい。
【００７９】
また、ダイプレクサ１０においてアンテナ端子Ｔ１０が端子Ｔ２０と端子Ｔ３０とに分岐される分岐点からデュプレクサ２０ａから２０ｃをみた反射係数が極小となる周波数Ｆ３が、デュプレクサ３０ａおよび３０ｂの通過帯域に位置しないように、線路Ｌ２０、Ｌ１ａからＬ１ｃの電気長を設定する。これにより、デュプレクサ３０ａおよび３０ｂの通過帯域に、条件（１）に起因するノッチが形成されることを抑制できる。
【００８０】
ダイプレクサ１０においてアンテナ端子Ｔ１０が端子Ｔ２０と端子Ｔ３０とに分岐される分岐点からデュプレクサ２０ａから２０ｃをみたインピーダンスのリアクタンス成分が略０かつインピーダンスが基準インピーダンスより小さい周波数Ｆ４が、デュプレクサ３０ａおよび３０ｂの通過帯域に位置しないように、線路Ｌ２０、Ｌ１ａからＬ１ｃの電気長を設定する。これにより、デュプレクサ３０ａおよび３０ｂの通過帯域に、条件（２）に起因するノッチが形成されることを抑制できる。
【００８１】
上記周波数Ｆ３およびＦ４の少なくとも一方がデュプレクサ３０ａおよび３０ｂの通過帯域に位置しなければよい。
【００８２】
端子Ｔ３０に接続されるデュプレクサ３０ａおよび３０ｂは１つでもよいし、複数でもよい。デュプレクサ３０ａおよび３０ｂが複数の場合、複数のデュプレクサ３０ａおよび３０ｂのうちのいずれか１つの共通端子Ｔ６ａおよびＴ６ｂを端子Ｔ３０に接続するスイッチ３４が設けられることが好ましい。
【００８３】
上記周波数Ｆ３およびＦ４の少なくとも一方は、複数のデュプレクサ３０ａおよび３０ｂのうち少なくとも１つの通過帯域に位置しなければよい。上記周波数Ｆ３およびＦ４の少なくとも一方は、複数のデュプレクサ３０ａおよび３０ｂの全ての通過帯域に位置しないことが好ましい。
【００８４】
ダイプレクサ１０においてアンテナ端子Ｔ１０が端子Ｔ２０と端子Ｔ３０とに分岐される分岐点からデュプレクサ３０ａおよび３０ｂをみた反射係数がダイプレクサ１０のデュプレクサ２０ａから２０ｃ側の通過帯域（ＨＢ帯域）内において最も小さくなる周波数が、デュプレクサ２０ａから２０ｃの通過帯域内に位置しないことが好ましい。
【００８５】
ダイプレクサ１０においてアンテナ端子Ｔ１０が端子Ｔ２０と端子Ｔ３０とに分岐される分岐点からデュプレクサ２０ａから２０ｃをみた反射係数がダイプレクサ１０のデュプレクサ３０ａおよび２０ｂ側の通過帯域（ＬＢ帯域）内において最も小さくなる周波数が、デュプレクサ３０ａおよび３０ｂの通過帯域内に位置しないことが好ましい。
【００８６】
周波数の高い信号は線路による損失が大きい。そこで、端子Ｔ２０とデュプレクサ２０ａから２０ｃの共通端子Ｔ１ａからＴ１ｃとの間の線路Ｌ２０、Ｌ１ａからＬ１ｃは、端子Ｔ３０とデュプレクサ３０ａおよび３０ｂの共通端子Ｔ６ａおよびＴ６ｂとの間の線路Ｌ３０およびＬ６ａおよびＬ６ｂより短くする。これにより、線路Ｌ２０、Ｌ１ａからＬ１ｃによる損失を小さくできる。
【００８７】
図２１は、実施例１の変形例のモジュールを含むシステムのブロック図である。図２１に示すように、システム１０２においては、モジュール４０はダイプレクサ１０を含まない。その他の構成は実施例１と同じであり説明を省略する。このように、モジュール４０は、ダイプレクサ１０を含んでもよいし、含まなくてもよい。ダイプレクサ１０を含まない場合も線路の電気長の設定により、通過帯域内のノッチを抑制できる。
【００８８】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００８９】
１０  ダイプレクサ
２０ａ−２０ｃ、３０ａ、３０ｂ  デュプレクサ
４０  モジュール
Ｌ１０−Ｌ３０、Ｌ１ａ−Ｌ８ｂ  線路
Ｔ１−Ｔ３０  端子
【図１】
0006325922.tif 000002
【図２】
0006325922.tif 000003
【図３】
0006325922.tif 000004
【図４】
0006325922.tif 000005
【図５】
0006325922.tif 000006
【図６】
0006325922.tif 000007
【図７】
0006325922.tif 000008
【図８】
0006325922.tif 000009
【図９】
0006325922.tif 000010
【図１０】
0006325922.tif 000011
【図１１】
0006325922.tif 000012
【図１２】
0006325922.tif 000013
【図１３】
0006325922.tif 000014
【図１４】
0006325922.tif 000015
【図１５】
0006325922.tif 000016
【図１６】
0006325922.tif 000017
【図１７】
0006325922.tif 000018
【図１８】
0006325922.tif 000019
【図１９】
0006325922.tif 000020
【図２０】
0006325922.tif 000021
【図２１】
0006325922.tif 000022